(57)【要約】【課題】所定の契機によって動作させる処理部の切り替えが行われる場合、その契機の後に切り替え前の処理部による表示がされることがない。【解決手段】上下筐体が閉状態でキーロックが施され、上下筐体が開状態に変化したことを契機として（Ｔ１７）、キーロック解除処理部が起動される（Ｔ１８、Ｔ１９）場合、上下筐体が閉状態になった際に（Ｔ１３）、表示部への表示の禁止を要求する（Ｔ１６）。そして、キーロック解除処理部は、表示部への表示の禁止解除を要求する（Ｔ２０）。【選択図】図９
2010191668.tif 000002
【特許請求の範囲】
【請求項１】
表示手段と、
前記表示手段に表示をさせ、又は、させない制御を行う表示制御手段と、
前記表示制御手段に要求して前記表示手段に表示をさせない制御をさせると共に、装置をキーロック状態に置くキーロック制御手段と、
前記表示制御手段に要求してキーロック解除用暗証情報の入力を促す画像を前記表示手段に表示させた後、キーロック状態を解除するキーロック解除処理手段とを有する
ことを特徴とする情報処理装置。
【請求項２】
開閉自在の複数の筐体からなり、
前記複数の筐体が閉状態であるか、開状態であるか、閉状態から開状態に変化したか、及び、開状態から閉状態に変化したかを検出する開閉検出手段と、
入力手段と、
前記複数の筐体が閉状態にある場合に内側となる部分に設置された表示手段と、
前記開閉検出手段によって前記複数の筐体が開状態であることが検出されている場合、前記表示手段に表示をさせ、前記複数の筐体が閉状態であることが検出されている場合、前記表示手段に表示をさせない表示制御手段と、
前記開閉検出手段によって前記複数の筐体が閉状態に変化したことが検出された場合、前記表示制御手段に要求して、前記複数の筐体の開閉状態に係わらず前記表示手段に表示をさせない制御をさせると共に、装置をキーロック状態に置くキーロック制御手段と、
前記開閉検出手段によって前記複数の筐体が開状態に変化したことが検出された場合、前記表示制御手段に要求して、キーロック解除用暗証情報の入力を促す画像を前記表示手段に表示をさせた後、前記入力手段から入力された暗証情報と、記憶された暗証情報が等しい場合、キーロック状態を解除するキーロック解除処理手段とを有する
ことを特徴とする情報処理装置。
【請求項３】
開閉自在の複数の筐体からなり、
前記複数の筐体が閉状態であるか、開状態であるか、閉状態から開状態に変化したか、及び、開状態から閉状態に変化したかを検出する開閉検出手段と、
入力手段と、
前記複数の筐体が閉状態にある場合に内側となる部分に設置された表示手段と、
グループ内処理手段を備えたグループの管理を行うグループ管理手段と、
前記表示手段に表示する権利を前記グループ管理手段に与え又は与えない制御をすると共に、前記開閉検出手段によって前記複数の筐体が開状態であることが検出されている場合、前記表示手段に表示をさせ、前記複数の筐体が閉状態であることが検出されている場合、前記表示手段に表示をさせず、更に、表示禁止の要求に応じて前記複数の筐体の開閉状態に係わらず前記表示手段に表示をさせない表示制御手段と、
前記開閉検出手段によって前記複数の筐体が閉状態に変化したことが検出された場合、装置をキーロック状態に置くキーロック制御手段と、
前記表示制御手段に前記表示禁止の解除を要求して、キーロック解除用暗証情報の入力を促す画像を前記表示手段に表示をさせた後、前記入力手段から入力された暗証情報と、記憶された暗証情報が等しい場合、キーロック状態を解除するキーロック解除処理手段とを有し、
前記グループ管理手段は、前記表示制御手段から与えられた前記表示手段に表示する権利を前記グループ内処理手段に与えて動作させているときに前記開閉検出手段によって前記複数の筐体が閉状態に変化したことが検出された場合、前記グループ内処理手段の動作を停止させると共に、前記表示制御手段に前記表示禁止を要求し、かつ、前記開閉検出手段によって前記複数の筐体が開状態に変化したことが検出された場合、前記キーロック解除処理手段を動作させる
ことを特徴とする情報処理装置。
【発明の詳細な説明】
【技術分野】
【０００１】
本発明は、情報処理装置に係り、特に、表示制御処理に関する。
【背景技術】
【０００２】
情報処理装置は、制御部と所望の動作を行う複数の処理部とを有し、制御部は、それらの処理部に優先度を付し、その優先度に従って動作させ、また、画像表示部を含む入出力部を使用させる権利を与える制御処理が知られている。ソフトウェアによって実装された情報処理装置においては、制御部は、オペレーティングシステムのタスク管理機能及びリソース管理機能であり、処理部は、各種のアプリケーションプログラムによるタスクである。
【０００３】
複数の処理部が同時に動く場合、特に画像表示制御機能、即ち、画像表示部を使用させる処理部の決定及び切り替えには念入りな処理が必須である。なぜなら、画像表示部に表示された画像は使用者によって直接視認されるので、乱れた表示は装置の使い心地に大きな悪影響を与えるからである。
【０００４】
そこで、画像表示部を有する情報処理装置は、画像表示部を使用させる処理部の切り替えに際して、表示が途切れないこと及び無用な表示が行われないことを満たす制御を行う画像表示制御機能を有する。
【０００５】
なお、複数のグループに属する処理部を１台の情報処理装置に統合して動作させる際、各グループには、それぞれ画面表示制御機能を有する制御部が備えられている。そこで、動作させる処理部を異なるグループに属する処理部に切り替えるために、動作させる画面表示制御機能も切り替える際、画像表示部の表示が乱れる、例えば、何も表示されないことを避ける必要がある。
【０００６】
そのため、各グループに画像表示部の表示を変化させないダミー処理部を設けることが知られている。即ち、切り替え前に動作する処理部が属するグループのダミー処理部を動作させることによって表示を維持させた後、切り換え後に動作する処理部を起動させ、その起動の完了を待って、その処理部が属するグループの画面表示制御機能を動作させる（例えば、特許文献１参照。）。
【先行技術文献】
【特許文献】
【０００７】
【特許文献１】特開２００７−１４８８１３号公報（第２頁、図１、図５）
【発明の概要】
【発明が解決しようとする課題】
【０００８】
しかしながら、上述した特許文献１に開示されている方法では、使用者が動作させる処理部を明示的に指示することなく、所定の契機によって動作させる処理部の切り替えが行われる場合、その契機の後にも切り替え前の処理部による表示がされ、使用者に違和感を与える可能性があった。
【０００９】
本発明は上記問題点を解決するためになされたもので、所定の契機によって動作させる処理部の切り替えが行われる場合、その契機の後に切り替え前の処理部による表示がされることがない情報処理装置を提供することを目的とする。
【課題を解決するための手段】
【００１０】
上記目的を達成するために、本発明の情報処理装置は、表示手段と、前記表示手段に表示をさせ、又は、させない制御を行う表示制御手段と、前記表示制御手段に要求して前記表示手段に表示をさせない制御をさせると共に、装置をキーロック状態に置くキーロック制御手段と、前記表示制御手段に要求してキーロック解除用暗証情報の入力を促す画像を前記表示手段に表示させた後、キーロック状態を解除するキーロック解除処理手段とを有することを特徴とする。
【発明の効果】
【００１１】
本発明によれば、所定の契機によって動作させる処理部の切り替えが行われる場合、その契機の後に切り替え前の処理部による表示がされることがない。
【図面の簡単な説明】
【００１２】
【図１】本発明の実施形態に係る移動通信装置の上下筐体の折畳みを開いた時の外観図。
【図２】本発明の実施形態に係る移動通信装置の上下筐体の折畳みを閉じた時の外観図。
【図３】本発明の実施形態に係る移動通信装置の構成を示すブロック図。
【図４】本発明の実施形態に係る第１の処理管理部の構成を示すブロック図。
【図５】本発明の実施形態に係る第２の処理管理部の構成を示すブロック図。
【図６】本発明の実施形態に係る総合制御部の処理部起動の制御動作のフローチャート（その１、動作中の処理部と新たに起動される処理部とが同じ処理管理部に属す場合）。
【図７】本発明の実施形態に係る総合制御部の処理部起動の制御動作のフローチャート（その２、動作中の処理部と新たに起動される処理部とが異なる処理管理部に属す場合）。
【図８】本発明の実施形態に係る総合制御部の処理部終了の制御動作のフローチャート。
【図９】本発明の実施形態に係る移動通信装置で、上下筐体が閉状態へ変化してキーロックが行われた後、上下筐体が開状態へ変化してキーロック解除が行われる動作のシーケンス図。
【図１０】本発明の実施形態に係る処理部の優先度を示す図（第１の例、上下筐体が開状態にあり、ブラウザ処理部が動作中。）。
【図１１】本発明の実施形態に係る処理部の優先度を示す図（第２の例、上下筐体が開状態になった直後に、第２のダミー処理部が動作中で、キーロック解除処理部が未起動。）。
【図１２】本発明の実施形態に係る処理部の優先度を示す図（第３の例、上下筐体が開状態にあり、キーロック解除処理部が動作中。）。
【発明を実施するための形態】
【００１３】
以下に、本発明による情報処理装置の実施の形態を、図面を参照して説明する。図１は、本発明の実施形態に係わる開閉自在の折畳み型移動通信装置の、上下筐体の折畳みを開いた時の外観図を示し、図１（ａ）は正面図、図１（ｂ）は側面図である。
【００１４】
この移動通信装置は、上筐体ＭＳ１と下筐体ＭＳ２とが、ヒンジ部ＭＳ３によって軸Ａ−Ａを中心に回動自在に連結されてなることによって、上下筐体ＭＳ１、ＭＳ２の角度が略０度（閉状態）から略１８０度（開状態）の間で開閉自在に構成されている。
【００１５】
上筐体ＭＳ１の内面には、受話に用いられるスピーカ１４ａと、使用者に操作を促す表示や、使用者が操作した内容の表示や、装置の動作状態の表示などに用いられるバックライト付きのＬＣＤ（Liquid Crystal Display）からなる表示部１５とが設置されている。
【００１６】
下筐体ＭＳ２の内面には、送話に用いられるマイクロフォン１４ｂと、入力素子であるキーパッドからなる入力装置１６とが設けられている。また、下筐体ＭＳ２の内部には、電波の送受に用いられるアンテナ（図示せず）が設置されている。入力装置１６には、電話番号を含む数字の入力などの入力に用いられるダイヤルキーと、移動通信装置の電源の投入及び切断などの動作指示などを入力するために用いられる機能キーとが設けられている。
【００１７】
上筐体ＭＳ１の上部の内部（ヒンジ部ＭＳ３から遠い部分。）に磁石ＭＳ４が埋め込まれ、下筐体ＭＳ２の下部の内部（ヒンジ部ＭＳ３から遠い部分。）に開閉検出部１７が埋め込まれている。そして、上下筐体ＭＳ１、ＭＳ２が閉状態にある場合、磁石ＭＳ４と、開閉検出部１７との間の距離が近いように配置してある。開閉検出部１７は、磁石ＭＳ４に起因する磁力の多寡によって、上下筐体ＭＳ１、ＭＳ２が開状態にあるか、又は、閉状態にあるかを検出する。
【００１８】
図２は、この移動通信装置の上筐体ＭＳ１をヒンジ部ＭＳ３によって回動させ、下筐体ＭＳ２に近づけて折畳みを閉じた時の外観を示し、図２（ａ）は正面図、図２（ｂ）は側面図である。折畳みが閉じられた状態では、表示部１５と、入力装置１６とは、折畳みの内側にあるため、使用者は、表示部１５に行われた表示を視認することができず、また、入力装置１６のキーを操作することができない。
【００１９】
図３は、本発明の実施形態に係る情報処理装置が適用された移動通信装置の構成を示すブロック図である。この移動通信装置は、装置全体の制御を行う総合制御部１１と、総合動作状況記憶部１１ａと、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６と、開閉検出部１７と、第１の処理管理部２１と、第２の処理管理部３１とからなる。総合動作状況記憶部１１ａには、総合動作状況１１ｂが記憶される。
【００２０】
図４は、第１の処理管理部２１の詳細な構成を示すブロック図である。第１の処理管理部２１は、第１の処理管理部２１の各部による表示部１５への画像の表示の制御を含む、第１の処理管理部２１の制御を行う第１の制御部２２と、第１の動作状況記憶部２３と、第１のダミー処理部２４と、待ち受け処理部２５と、通話処理部２６と、アドレス帳処理部２７と、アドレス帳記憶部２８と、キーロック解除処理部２９とからなる。
【００２１】
第１の動作状況記憶部２３には、第１の動作状況２３ａが記憶される。アドレス帳記憶部２８には、アドレス帳２８ａが記憶される。アドレス帳２８ａは、少なくとも氏名と、電話番号と、電子メールアドレスとが関連付けられた情報からなる。
【００２２】
図５は、第２の処理管理部３１の詳細な構成を示すブロック図である。第２の処理管理部３１は、データ通信機能を処理する処理部のグループである。そして、第２の処理管理部３１の各部による表示部１５への画像の表示の制御を含む、第２の処理管理部３１の制御を行う第２の制御部３２と、第２の動作状況記憶部３３と、第２のダミー処理部３４と、電子メール処理部３５と、ブラウザ処理部３６とからなる。第２の動作状況記憶部３３には、第２の動作状況３３ａが記憶される。
【００２３】
上記のように構成された、本発明の実施形態に係る情報処理装置の各部の動作を、図３〜図５を参照して説明する。
【００２４】
総合制御部１１は、入力装置１６の所定のキー操作に従って、キーロックを行うか否かを設定する。キーロックが行われないと設定された場合、総合制御部１１は、入力装置１６から通知された操作されたキーの識別子に従って、装置を制御し、その識別子によって示される文字を表示部１５に表示させ、また、その識別子を第１の制御部２２と、第２の制御部３２とに送って、それぞれに、第１の処理管理部２１内の各部と、第２の処理管理部３１内の各部を動作させる。
【００２５】
キーロックが行われると設定された場合、総合制御部１１は、開閉検出部１７から上下筐体ＭＳ１、ＭＳ２が開状態から閉状態に変化したとの通知を受けた際、装置にキーロックを施し、入力装置１６から通知された操作されたキーの識別子を第１の制御部２２を経てキーロック解除処理部２９へ送り、それ以外の処理部には送らない。そして、キーロック解除処理部２９からキーロック解除の通知を受けた場合、キーロックを解除して、キーロックが行われないと設定された場合と同じ動作をする。
【００２６】
総合制御部１１は、開閉検出部１７から上下筐体ＭＳ１、ＭＳ２の開閉状態が変化したとの通知を受けた場合、その通知を第１の制御部２２と、第２の制御部３２とに通知する。
【００２７】
総合制御部１１は、開閉検出部１７から上下筐体ＭＳ１、ＭＳ２が閉状態から開状態に変化したとの通知を受けた以降、表示部１５を制御して、画像データを表示させる。ここで、表示させることは、バックライトを点灯させることを含む。一方、開閉検出部１７から上下筐体ＭＳ１、ＭＳ２が開状態から閉状態に変化したとの通知を受けた以降、表示部１５を制御して、表示させない。ここで、表示させないことは、バックライトを消灯させることを含む。
【００２８】
上記に係らず、表示部１５の表示禁止が装置の各部から要求された場合、総合制御部１１は、開閉検出部１７から上下筐体ＭＳ１、ＭＳ２が閉状態から開状態に変化したとの通知を受けた以降であっても、表示部１５を制御して表示させることをしない。そして、上下筐体ＭＳ１、ＭＳ２が開状態であって、装置の各部から表示部１５の表示禁止解除の要求がされた以降、表示部１５を制御して表示させる。
【００２９】
通信部１２ｂは、アンテナ１２ａが受信した高周波信号を送受信部１３へ出力し、また、送受信部１３から出力される高周波信号をアンテナ１２ａより送信する。
【００３０】
送受信部１３は、通信部１２ｂからの高周波信号を増幅、周波数変換及び復調し、それによって得られたディジタル音声信号を通話部１４ｃへ、また、制御信号を総合制御部１１に送る。更には、通話部１４ｃから出力されるディジタル音声信号、及び総合制御部１１から出力される制御信号を変調、周波数変換及び増幅し、高周波信号を得て、それを通信部１２ｂに送る。
【００３１】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００３２】
表示部１５は、総合制御部１１に制御されることで、カーソルを含む文字・数字を含む画像データの表示動作を行い、表示されているデータは、入力装置１６からの入力操作や着信信号に応答して総合制御部１１からの指示を受けることで切換わる。
【００３３】
入力装置１６は、通信相手の電話番号などを指定し、また、トグル式の入力方式によってひらがな文字、アルファベット文字及び記号文字を入力するための数字キーと、カーソル移動キーやスクロールキーを含む複数の機能キーとを含むキーからなる。そして、入力装置１６のキーが押下されると、そのキーの識別子を総合制御部１１に通知する。
【００３４】
開閉検出部１７は、上下筐体ＭＳ１、ＭＳ２が開状態にあるか、閉状態にあるかを検出する。更に、その検出結果によって、上下筐体ＭＳ１、ＭＳ２が開状態から閉状態に変化した場合と、上下筐体ＭＳ１、ＭＳ２が閉状態から開状態に変化した場合とに、その変化を総合制御部１１に通知する。
【００３５】
第１の処理管理部２１は、前述の通りの構成であり、通話機能等を処理する処理部のグループであって、第１の処理管理部２１の各部の中で制御された処理部が入力装置１６のキー操作等に従って動作し、動作の結果を表示部１５への画像表示として出力する。
【００３６】
第１の制御部２２は、第１の処理管理部２１内の処理部の動作状態を制御する。
【００３７】
待ち受け処理部２５は、装置の電源が投入された際に起動され、所定の待ち受け画面を表示部１５に表示する。なお、起動処理については、後で詳述する。ここで、待ち受け画面は、静止画像であっても良く、動画像であっても良い。そして、待ち受け処理部２５は、入力装置１６のキーが操作されると、総合制御部１１を経由してそのキーに対応付けられた処理部を起動する。また、基地局から通話着信信号が受信された際に入力装置１６の通話キーが操作されると、通話処理部２６を起動する。待ち受け処理部２５は、装置の電源の切断に至るまで動作を終了しない。
【００３８】
通話処理部２６は、通話を行う処理部であり、待ち受け処理部２５が動作中に入力装置１６の所定のキーが操作された際、及び、アドレス帳処理部２７が動作中にアドレス帳２８ａに含まれる電話番号が表示され、入力装置１６の所定のキーが操作された際に起動され、通信部１２ｂ、送受信部１３及び通話部１４ｃを起動して、発信処理及び通話処理をさせ、所定の画像を表示部１５に表示する。
【００３９】
また、通話処理部２６は、送受信部１３によって通話着信信号が受信されると総合制御部１１によって起動され、通信部１２ｂ、送受信部１３及び通話部１４ｃを起動して、着信処理及び通話処理をさせ、所定の画像を表示部１５に表示する。通話中に入力装置１６の所定のキーが操作された際、通話処理部２６は、動作を終了する。
【００４０】
アドレス帳処理部２７は、アドレス帳２８ａを管理する処理部であり、待ち受け処理部２５が動作中に入力装置１６の所定のキーが操作された際に起動され、アドレス帳記憶部２８に記憶されたアドレス帳２８ａを読み出して表示部１５に表示、アドレス帳２８ａに情報の格納、アドレス帳２８ａの情報の更新、及び、アドレス帳２８ａの情報の削除を行う。
【００４１】
また、アドレス帳２８ａに含まれる電話番号が表示されている際、入力装置１６の所定のキーが操作されると、アドレス帳処理部２７は、総合制御部１１を経由して通話処理部２６を起動する。また、アドレス帳２８ａに含まれる電子メールアドレスが表示されている際、入力装置１６の所定のキーが操作されると、総合制御部１１を経由して第２の処理管理部３１の電子メール処理部３５を起動する。アドレス帳処理部２７は、入力装置１６の所定のキーが操作された際、動作を終了する。
【００４２】
キーロック解除処理部２９は、第１に、キーロック解除暗証番号登録の動作を行う。即ち、入力装置１６の所定のキー操作に基づいて総合制御部１１によって起動され、所定のキーロック解除暗証番号の入力を促す画像を表示部１５に表示させる。そして、入力装置１６の所定のキー操作によってキーロック解除暗証番号を入力し、キーロック解除処理部２９内に記憶する。
【００４３】
第２に、キーロック解除処理部２９は、装置の使用者の認証の上、キーロック解除の動作を行う。即ち、キーロック解除暗証番号の入力を促す画像を表示部１５に表示させ、総合制御部１１に対して表示部１５の表示禁止解除を要求する。そして、入力装置１６の所定のキー操作によって入力されたキーロック解除暗証番号と、キーロック解除暗証番号とが等しい場合、キーロック解除を総合制御部１１に通知する。
【００４４】
なお、このキーロック解除処理部２９のキーロック解除の動作は、上下筐体ＭＳ１、ＭＳ２が閉状態から開状態に変化した場合に起動される。上下筐体ＭＳ１、ＭＳ２が開状態になった際、直前に動作していた処理部による表示が表示部１５にされると、装置の使用者は、あたかも残像のように感じ、違和感を覚える。また、装置の使用者が秘密としたい情報が他の者によって視認される恐れがある。
【００４５】
そこで、上記のように、キーロック解除処理部２９は、キーロック解除暗証番号の入力を促す画像を表示部１５に表示させる動作の後に、表示部１５の表示禁止解除を要求する。この要求と対をなす、表示部１５の表示禁止の要求は、キーロックが施された際に動作していた処理部が属する処理管理部の制御部（第１の制御部２２又は第２の制御部３２）によってなされる。
【００４６】
第２の処理管理部３１は、前述の通りの構成であり、データ通信機能を処理する処理部のグループであって、第２の処理管理部３１内の各部の中で制御された処理部が入力装置１６のキー操作等に従って動作し、動作の結果を表示部１５への画像表示として出力する。
【００４７】
第２の制御部３２は、第２の処理管理部３１内の処理部の動作状態を制御する。
【００４８】
電子メール処理部３５は、電子メールの送信及び受信を行う処理部であり、電子メール処理部３５の電子メール送信動作は、入力装置１６の所定のキー操作がされた際、及びアドレス帳処理部２７が動作中にアドレス帳２８ａに含まれる電子メールアドレスが表示されて入力装置１６の所定のキーが操作された際に起動され、入力装置１６の所定のキー操作によって作成された電子メールの標題と本文とを総合制御部１１及び送受信部１３を経由して送信して、動作を終了する。
【００４９】
また、電子メール処理部３５の電子メール受信動作は、送受信部１３によって電子メールが受信されると総合制御部１１によって起動され、受信された電子メールをメールボックス（図示せず）に記憶して、動作を終了する。
【００５０】
ブラウザ処理部３６は、ウェブサイトへアクセスする処理部である。即ち、ブラウザ処理部３６は、入力装置１６の所定のキーが操作された際、総合制御部１１によって起動され、ウェブサイトへアクセスする動作を開始する。ブラウザ処理部３６は、続いて、入力装置１６のキー操作によってウェブサイトのアドレスを作成し、作成されたアドレスによって識別されるウェブサイトへ総合制御部１１及び送受信部１３を経由してアクセスし、そのウェブサイトから送信された情報を送受信部１３及び総合制御部１１を経由して受信して、表示部１５に表示する。ブラウザ処理部３６は、入力装置１６の所定のキーが操作された際、動作を終了する。
【００５１】
以下、本実施形態に係る移動通信装置の、処理部の管理処理、特に、動作中の処理部の切り替えの際の表示制御に関する動作を説明する。
【００５２】
（処理部の状態及び優先度）
まず、処理部の状態を説明する。第１の処理管理部２１に属する処理部（第１のダミー処理部２４、待ち受け処理部２５、通話処理部２６及びアドレス帳処理部２７）と、第２の処理管理部３１に属する処理部（第２のダミー処理部３４、電子メール処理部３５及びブラウザ処理部３６）は、実行可能状態（Ready、表示部１５への表示の権利と、入力装置１６のキー操作を受け取る権利とを得れば、直ちに動作できる状態。）、一時停止状態（Suspend、表示部１５への表示の権利と、入力装置１６のキー操作を受け取る権利とを得ても直ちには動作できない状態。）及び終了状態のいずれかの状態にあるように制御される。
【００５３】
第１の処理管理部２１に属する処理部であって、実行可能状態または一時停止状態にある処理部には、第１の処理管理部２１内での優先度が付される。第２の処理管理部３１に属する処理部についても、同様である。後述するように、新たに実行可能状態におかれた処理部には最高の優先度が付されるが原則である。
【００５４】
第１の処理管理部２１に属する実行可能状態であって、第１の処理管理部２１内で最も優先度が高い処理部が動作中（Active、表示部１５への表示の権利と、入力装置１６のキー操作を受け取る権利とを得て、動作している状態。）であると第１の処理管理部２１内でみなされる。また同様に、第２の処理管理部３１に属する実行可能状態であって、第２の処理管理部３１内で最も優先度が高い処理部が動作中であると第２の処理管理部３１内でみなされる。
【００５５】
また、第１の処理管理部２１は、実行可能状態である処理部がなく、一時停止状態である処理部がある場合、一時停止状態である処理部の少なくとも１つが実行可能状態に移される。また、第２の処理管理部３１についても同様である。
【００５６】
なお、上述したように、動作中とみなされる処理部は、第１の処理管理部２１に属する処理部が１つと、第２の処理管理部３１に属する処理部が１つの合計２つであるが、後述するように、総合制御部１１によって表示部１５への表示の権利と、入力装置１６のキー操作を受け取る権利とは１つの処理部に与えられ、動作中の処理部は１つであるように制御される。また、動作中であると制御される処理部は、最後に動作中であるとみなされるに至った処理部である。
【００５７】
第１の処理管理部２１に属する処理部は、１つまたは２つが実行可能状態にある。また、第２の処理管理部３１に属する処理部は、１つまたは２つが実行可能状態にある。そして、実行可能状態にある処理部は、実行可能状態に移されつつある処理部、動作中の処理部及びダミー処理部に限るように制御されることによって、処理部の消費電力を削減するが、これに限るものではない。上記以外の処理部が実行可能状態にあるように制御することによって、動作中の処理部を迅速に切り替えるとしても良い。
【００５８】
第１の処理管理部２１に属する処理部について、処理部をいずれの状態に移すかの判断は、総合制御部１１及び第１の制御部２２によって制御される。また、第２の処理管理部３１に属する処理部については、総合制御部１１及び第２の制御部３２によって制御される。そして、処理部を実行可能状態に移すことは、第１の制御部２２及び第２の制御部３２を経由して、総合制御部１１によって制御される（この制御を起動と記す。）。
【００５９】
そして、起動の完了とは、新たに起動された処理部が表示部１５に表示させる画像の作成を完了し、かつ、操作された入力装置１６のキーの識別子を得た際に、その識別子に対応する処理を行うことができることになったこと（即ち、その処理部は、入力装置１６の操作されたキーに基づいた処理が行えなかったが、行えるように変わったこと。）を意味する。
【００６０】
総合制御部１１は、第１の制御部２２又は第２の制御部３２を経由して起動させた処理部を、起動させた順を付して、また、優先度を付して総合動作状況１１ｂに記憶する。更に、第１の処理管理部２１と第２の処理管理部３１との中で、いずれが高い優先度であるかを総合動作状況１１ｂに記憶する。そして、第１の処理管理部２１と第２の処理管理部３１との中で高い優先度である処理管理部の制御部（第１の制御部２２または第２の制御部３２）に表示部１５への表示の権利と、入力装置１６のキー操作を受け取る権利との制御を委ねる。なお、高い優先度である処理管理部は、原則として、最後に起動された処理部が属する処理管理部であるが、詳細は後述する。
【００６１】
ここで、第１のダミー処理部２４と第２のダミー処理部３４とは、装置の電源投入に伴って起動され、終了することはない。また、装置の電源投入の際、第１のダミー処理部２４と第２のダミー処理部３４との起動に続いて待ち受け処理部２５が起動され、終了することはないため、第１のダミー処理部２４と、第２のダミー処理部３４と、待ち受け処理部２５とは常に実行可能状態か、一時停止状態にある。そのため、第１の処理管理部２１と第２の処理管理部３１との中でいずれが優先度が高いかが不定であることはない。
【００６２】
第１の制御部２２は、第１の処理管理部２１に属する処理部であって、実行可能状態にある処理部及び一時停止状態にある処理部と、総合制御部１１の制御に従ってそれらの処理部に付された優先度とを第１の動作状況２３ａに記憶する。そして、第１の処理管理部２１に表示部１５への表示の権利と、入力装置１６のキー操作を受け取る権利との制御を委ねられている場合、最も高い優先度が付された処理部にそれらの権利を与える。
【００６３】
また、最も高い優先度が付された処理部のみを実行可能状態に置くため、その処理部は動作中となり、その他の処理部を一時停止状態に置く。しかし、後述するように、処理部の起動中、又は終了処理中に総合制御部１１によって指示された場合、最も高い優先度が付された処理部以外の処理部を実行可能状態に置くことがある。
【００６４】
また、一時停止状態の処理部は、例えば、送受信部１３からの信号を受信することによって処理をすることがあるが（ソフトウェアによって実装された情報処理装置においては、割り込み発生による処理である。）、総合制御部１１によって起動されない場合、優先度は変わらず、その結果、動作中とは見なされない。また、一時停止状態の処理部は、表示部１５への表示の権利と、入力装置１６のキー操作を受け取る権利が与えられることはない。
【００６５】
第１の制御部２２は、第１の処理管理部２１に属する処理部が動作中に、総合制御部１１から上下筐体ＭＳ１、ＭＳ２が閉状態に変化したとの通知を受けた場合、第１のダミー処理部２４を実行可能状態に置いて、動作中とさせ、第１の処理管理部２１に属する実行可能状態であった処理部を一時停止状態に置く。更に、キーロックが施される設定であれば、第１の制御部２２は、その場合、総合制御部１１に、表示部１５の表示禁止を要求する。
【００６６】
また、第１の制御部２２は、総合制御部１１から上下筐体ＭＳ１、ＭＳ２が開状態に変化したとの通知を受けた場合、キーロックが施される設定であり、かつ、第１の処理管理部２１に属する処理部が動作中であれば（上述したように、この処理部は、第１のダミー処理部２４である。）、キーロック解除処理部２９の起動を総合制御部１１に要求する。
【００６７】
第２の制御部３２は、第２の処理管理部３１に属する処理部を管理し、状況を第２の動作状況３３ａに記憶するが、動作は、第１の制御部２２と同様であり、詳細な説明を省略する。
【００６８】
（ダミー処理部の動作）
第１のダミー処理部２４の動作と、第２のダミー処理部３４の動作を説明する。ここで、これらの動作は同一であり、第１のダミー処理部２４の動作のみを説明し、第２のダミー処理部３４の動作の説明を省略する。
【００６９】
第１のダミー処理部２４は、最も高い優先度が付され、実行可能状態に置かれた場合、表示部１５への表示の権利が与えられるが、表示部１５への表示を行わない。この表示を行わないことによって、第１のダミー処理部２４が実行可能状態に置かれる前の表示を表示部１５に維持させる。また、第１のダミー処理部２４は、実行可能状態に置かれた場合、入力装置１６のキー操作を受け取る権利が与えられるが、このキー操作に依存した動作を行わない。このキー操作に依存した動作を行わないことによって、キー操作が行われたとしても、装置の動作に変化を与えない。
【００７０】
（新たに処理部を起動する際の処理）
まず、動作中の処理部（処理部の起動中、又は終了処理中でない限り、この処理部は、ダミー処理部以外の処理部であって、入力装置１６のキー操作を受け取って動作し、動作結果を表示部１５へ表示している。）が第１の処理管理部２１に属する処理部であり、かつ、新たに起動する処理部が第１の処理管理部２１に属する処理部である場合の総合制御部１１の処理部起動の制御動作を説明する。
【００７１】
図６は、この場合の、総合制御部１１の処理部起動の制御動作のフローチャートを示す。総合制御部１１は、動作中の処理部が第１の処理管理部２１に属する処理部であり、かつ、新たに起動する処理部が第１の処理管理部２１に属する処理部である場合、制御動作を開始して（ステップＳ１１ａ）、第１の制御部２２を制御して、第１のダミー処理部２４を第１の処理管理部２１内の処理部の中で、最も優先度を高くさせて、動作中とさせる（ステップＳ１１ｂ）。ここで、併せて、ステップＳ１１ａの制御動作開始の際に動作中であった処理部を一時停止状態に置かせる。
【００７２】
次に、総合制御部１１は、第１の制御部２２を制御して、新たに起動する処理部を第１のダミー処理部２４の優先度未満の優先度で起動させる（ステップＳ１１ｃ、その処理部は、起動前には一時停止状態または終了状態にあるので、実行可能状態に移させる。そして、第１の処理管理部２１に属する処理部の中で最も高い優先度の処理部は、第１のダミー処理部２４であるので、起動するタスクを第１のダミー処理部２４に次いで、２番目に高い優先度で起動させても良い。）。そして、総合制御部１１は起動が完了したとの通知を受け取ったか否かを調べることにより起動完了を待つ（ステップＳ１１ｄ）。その後、起動が完了した場合、その新たに起動された処理部を第１の処理管理部２１内の処理部の中で、最も優先度を高くさせて動作中とさせる（ステップＳ１１ｅ）。そして、制御動作を終了する（ステップＳ１１ｆ）。ここで、併せて、第１のダミー処理部２４を一時停止状態におかせる。
【００７３】
この結果、第１のダミー処理部２４は、第１の処理管理部２１内の処理部の中で、２番目に優先度が高くなる。更に、総合制御部１１は、ステップＳ１１ａの制御動作開始の際に動作中であった処理部を終了させることもある。
【００７４】
この起動処理によって、新たに起動される処理部の起動が開始されてから完了するまでの間、表示部１５の表示は変化せず、入力装置１６のキー操作によって装置の処理部が処理を行うことはなく、装置の使用者に違和感を与えることはない。
【００７５】
次に、動作中の処理部が第２の処理管理部３１に属する処理部であり、かつ、新たに起動する処理部が第２の処理管理部３１に属する処理部である場合の総合制御部１１の処理部起動の制御動作を説明する。
【００７６】
総合制御部１１は、動作中の処理部が第２の処理管理部３１に属する処理部であり、かつ、新たに起動する処理部が第２の処理管理部３１に属する処理部である場合、第２の制御部３２を制御して、第２のダミー処理部３４を第２の処理管理部３１内の処理部の中で、最も優先度を高くさせ、新たに起動する処理部の起動が完了した際、その新たに起動された処理部を第２の処理管理部３１内の処理部の中で、最も優先度を高くさせるが、上記の動作中の処理部が第１の処理管理部２１に属する処理部のいずれかであり、かつ、起動する処理部が第１の処理管理部２１に属する処理部である場合と同様の制御であり、フローチャートを参照した説明を省略する。
【００７７】
次に、動作中の処理部が第２の処理管理部３１に属する処理部であり、かつ、新たに起動する処理部が第１の処理管理部２１に属する処理部である場合の総合制御部１１の処理部起動の制御動作を説明する。
【００７８】
図７は、この場合の総合制御部１１の処理部起動の制御動作のフローチャートを示す。総合制御部１１は、動作中の処理部が第２の処理管理部３１に属する処理部であり、かつ、新たに起動する処理部が第１の処理管理部２１に属する処理部である場合、制御動作を開始して（ステップＳ１１ｈ）、第２の制御部３２を制御して、第２のダミー処理部３４を第２の処理管理部３１内で最も優先度を高くさせて、動作中とさせる（ステップＳ１１ｉ）。ここで、併せて、ステップＳ１１ｈの制御動作開始の際に動作中であった処理部を一時停止状態におかせる。
【００７９】
次に、総合制御部１１は、第１の制御部２２を制御して、新たに起動する処理部を第１のダミー処理部２４の優先度未満の優先度で起動させる（ステップＳ１１ｊ、その処理部は、起動前には一時停止状態または終了状態にあるので、実行可能状態に移させる。そして、第１の処理管理部２１に属する処理部の中で最も高い優先度の処理部は、第１のダミー処理部２４であるので、起動するタスクを第１のダミー処理部２４に次いで、２番目に高い優先度としても良い。）。
【００８０】
そして、起動が完了したとの通知を受け取ったか否かを調べることにより起動完了を待ち（ステップＳ１１ｋ）、起動が完了した場合、総合制御部１１は、その処理部を第１の処理管理部２１内の処理部の中で、最も優先度を高くさせて、動作中とさせる（ステップＳ１１ｍ）。この結果、第１のダミー処理部２４は、第１の処理管理部２１内の処理部の中で、２番目に優先度が高くなり、一時停止状態となる。
【００８１】
次に、総合制御部１１は、第１の処理管理部２１の優先度を第２の処理管理部３１の優先度より高くする。即ち、その旨を総合動作状況１１ｂに格納する。そして、表示部１５への表示の権利と、入力装置１６のキー操作を受け取る権利との制御を第１の制御部２２に委ね（ステップＳ１１ｎ）、制御動作を終了する（ステップＳ１１ｏ）。
【００８２】
総合制御部１１は、動作中の処理部が第１の処理管理部２１に属する処理部であり、かつ、新たに起動する処理部が第２の処理管理部３１に属する処理部である場合、第１の制御部２２を制御して、第１のダミー処理部２４を第１の処理管理部２１内で最も優先度を高くさせる。次に、第２の制御部３２を制御して、新たに起動する処理部を第２のダミー処理部３４の優先度未満の優先度で起動させ、起動の完了後、その処理部を第２の処理管理部３１内の処理部の中で、最も優先度を高くさせる。
【００８３】
この結果、第２のダミー処理部３４は、第２の処理管理部３１内の処理部の中で、２番目に優先度が高くなる。次に、総合制御部１１は、第２の処理管理部３１は、第１の処理管理部２１より優先度が高い旨を総合動作状況１１ｂに格納する。そして、表示部１５への表示の権利と、入力装置１６のキー操作を受け取る権利との制御を第２の制御部３２に委ねる。
【００８４】
この、動作中の処理部が第１の処理管理部２１に属する処理部であり、かつ、新たに起動する処理部が第２の処理管理部３１に属する処理部である場合の総合制御部１１の処理部起動の制御動作は、動作中の処理部が第２の処理管理部３１に属する処理部であり、かつ、新たに起動する処理部が第１の処理管理部２１に属する処理部である場合の総合制御部１１の処理部起動の制御動作と同様であり、フローチャートを参照した説明を省略する。
【００８５】
この起動処理によって、動作中の処理部と新たに起動される処理部が異なる処理管理部に属している場合、起動する処理部の起動が開始されてから完了するまでの間、表示部１５の表示は変化せず、入力装置１６のキー操作によって装置の処理部が処理を行うことはなく、装置の使用者に違和感を与えることはない。
【００８６】
また、新たに起動された処理部が属する処理管理部とは異なる処理管理部においては、その処理部が起動された後、ダミー処理部が最も優先度が高くなる。そのため、この異なる処理管理部が表示部１５に表示を行う権利及び／または入力装置１６のキー操作を受け取る権利をたとえ有したとしても、その権利はダミー処理部に与えられるので、表示部１５の表示に何ら影響を与えることなく、また、入力装置１６のキー操作に依存してこの異なる処理管理部に属する処理部による処理は行われない。
【００８７】
（処理部を終了する際の処理）
総合制御部１１が処理部を終了させる制御動作を、（１）総合動作状況１１ｂに高い優先度であると記憶された処理管理部に属する処理部であって、その処理管理部の動作状況に最大の優先度が付されて記憶されている処理部、即ち、動作中の処理部を終了させる場合の制御動作と、（２）（１）以外の場合の制御動作に分けて説明する。
【００８８】
図８は、この（１）の場合の総合制御部１１の処理部終了の制御動作のフローチャートを示す。なお、総合動作状況１１ｂに高い優先度であると記憶された処理管理部が第１の処理管理部２１である場合の総合制御部１１の制御動作を説明する。高い優先度である処理管理部が、第２の処理管理部３１である際の制御動作も同様であって、説明を省略する。
【００８９】
総合制御部１１は、処理部を終了させるに際し、動作中の処理部を終了させる場合、この制御動作を開始する（ステップＳ１１ｐ）。
【００９０】
そして、総合制御部１１は、終了させる処理部を終了させる（ステップＳ１１ｑ）。ここで、終了させる処理部が第１の処理管理部２１に属する処理部であれば、第１の制御部２２を制御して終了させ、第１の動作状況２３ａからその処理部の情報を削除させる。また、終了させる処理部が第２の処理管理部３１に属する処理部であれば、第２の制御部３２を制御して終了させ、第２の動作状況３３ａからその処理部の情報を削除させる。そして、終了された処理部に関する情報を総合動作状況１１ｂから削除する。
【００９１】
この終了制御の際、動作中の処理部が終了されても、表示部１５の表示は変わらない。なぜなら、第１の処理管理部２１に属する処理部の中で、２番目に高い優先度が付された処理部は第１のダミー処理部２４であり、上記処理部の終了に伴い、最も高い優先度が付された処理部は第１のダミー処理部２４となるためである。
【００９２】
次に、総合制御部１１は、総合動作状況１１ｂに記憶された、起動された処理部の中で最も近い過去に起動された処理部が第１の処理管理部２１に属する処理部であるか、第２の処理管理部３１に属する処理部であるかを調べる（ステップＳ１１ｒ）。そして、その処理部が第１の処理管理部２１に属する処理部である場合、第１の制御部２２を制御して、その処理部を起動させる（ステップＳ１１ｓ、その処理部は、一時停止状態にあるので、実行可能状態に移させる。）。なお、第１の処理管理部２１に属する処理部の中で最も優先度が高い処理部は第１のダミー処理部２４であるので、起動の際、起動される処理部は、第１のダミー処理部２４に次いで２番目に高い優先度が付されている。
【００９３】
そして、起動が完了したとの通知を受け取ったか否かを調べることにより起動完了を待ち（ステップＳ１１ｔ）、起動が完了した場合、総合制御部１１は、その起動された処理部を第１の処理管理部２１に属する処理部の中で最大の優先度とさせて、動作中とさせ、第１の動作状況２３ａを更新させて（ステップＳ１１ｕ）、制御動作を終了する（ステップＳ１１ｖ）。これによって、第１のダミー処理部２４は、第１の処理管理部２１に属する処理部の中で、２番目に高い優先度が付され、一時停止状態となる。
【００９４】
一方、ステップＳ１１ｒで、最も近い過去に起動された処理部が第２の処理管理部３１に属する処理部の場合、総合制御部１１は、第２の制御部３２を制御して、その処理部を起動させる（ステップＳ１１ｗ、その処理部は、一時停止状態にあるので、実行可能状態に移させる。）。なお、第２の処理管理部３１に属する処理部の中で最も優先度が高い処理部は、第２のダミー処理部３４であるので、起動の際、起動される処理部は、第２のダミー処理部３４に次いで、２番目に高い優先度が付されている。
【００９５】
そして、起動が完了したとの通知を受け取ったか否かを調べることにより起動完了を待ち（ステップＳ１１ｘ）、起動が完了した場合、総合制御部１１は、その起動された処理部を第２の処理管理部３１に属する処理部の中で最大の優先度とさせて、動作中とさせ、第２の動作状況３３ａを更新させる（ステップＳ１１ｙ）。この優先度の変更により、起動完了の後、第２のダミー処理部３４は、第２の処理管理部３１に属する処理部の中で２番目に高い優先度が付され、一時停止状態となる。
【００９６】
更に、総合制御部１１は、第２の処理管理部３１の優先度を第１の処理管理部２１の優先度より高くし、その旨を総合動作状況１１ｂに更新記憶して（ステップＳ１１ｚ）、制御動作を終了する（ステップＳ１１ｖ）。
【００９７】
上記（２）の場合、総合制御部１１は、終了させる処理部が第１の処理管理部２１に属する処理部であれば、第１の制御部２２を制御して終了させ、第１の動作状況２３ａからその処理部の情報を削除させる。また、終了させる処理部が第２の処理管理部３１に属する処理部であれば、第２の制御部３２を制御して終了させ、第２の動作状況３３ａからその処理部の情報を削除させる。そして、終了された処理部に関する情報を総合動作状況１１ｂから削除する。
【００９８】
この（２）の場合、処理部の終了の制御動作の前後を問わず、総合動作状況１１ｂに高い優先度であると記憶された処理管理部に属する処理部であって、その処理管理部の動作状況に最大の優先度が付されて記憶されている処理部、即ち、動作中の処理部は変わらず、その処理部が入力装置１６のキー操作を受け取って動作中であり、動作結果を表示部１５に表示している。このため、表示部１５の表示の切り替えは発生せず、使用者に違和感を与えるおそれはない。
【００９９】
（キーロック解除処理部２９がキーロック解除を行う際の処理）
上下筐体ＭＳ１、ＭＳ２が閉状態から開状態へ変化したことを契機として、キーロック解除処理部２９がキーロック解除の動作を行う際の、キーロック解除処理部２９の起動及び終了の処理と共に、関連する処理部の状態の変化を説明する。
【０１００】
図９は、キーロックが行われる設定がされている際、上下筐体ＭＳ１、ＭＳ２が開状態から閉状態へ変化してキーロックが行われ、次に、上下筐体ＭＳ１、ＭＳ２が閉状態から開状態へ変化し、キーロック解除処理部２９によってキーロックが解除される動作のシーケンス図である。
【０１０１】
まず、上下筐体ＭＳ１、ＭＳ２が開状態であり、キーロック解除処理部２９は終了状態にあり、第２のダミー処理部３４は一時停止状態にあり、例えば、ブラウザ処理部３６が、総合制御部１１から第２の制御部３２を経由して（Ｔ１１）送られた入力装置１６の操作されたキーを識別する情報（この情報を、以後、キーイベントと称する。）（Ｔ１２）に従って動作中であるとする。
【０１０２】
この際、総合動作状況１１ｂにいずれの処理管理部に属する処理部が優先度が高いと記憶されているか、及び、第１の動作状況２３ａと第２の動作状況３３ａとに処理部が如何なる優先度で記憶されているかを図１０に示す。第２の動作状況３３ａが第１の動作状況２３ａより上に示されていることにより、第２の処理管理部３１が第１の処理管理部２１より優先度が高いと総合動作状況１１ｂに記憶されている。
【０１０３】
更に、第２の動作状況３３ａには、ブラウザ処理部３６と第２のダミー処理部３４が含まれ、かつ、前者が最も上に示されていることにより、ブラウザ処理部３６は、最大の優先度であり、後者は、前者の優先度未満の優先度である。また、第１の動作状況２３ａには、第１のダミー処理部２４と待ち受け処理部２５が含まれ、かつ、前者が最も上に示されていることにより、第１のダミー処理部２４は、最大の優先度であり、後者は、前者の優先度未満の優先度である。
【０１０４】
次に、上下筐体ＭＳ１、ＭＳ２が閉じられると、上下筐体ＭＳ１、ＭＳ２が閉状態に変化したとの通知が総合制御部１１から第２の制御部３２に送られる（Ｔ１３）。このとき以降、総合制御部１１の制御に基づいて、表示部１５は表示をしない。また、第２の制御部３２は、キーロックが行われる設定がされているか否かの判定をし、その設定がされているので、ブラウザ処理部３６を一時停止状態に置き（Ｔ１４）、第２のダミー処理部３４を動作中とする（Ｔ１５）。そして、総合制御部１１に、表示部１５の表示禁止を要求する（Ｔ１６）。
【０１０５】
なお、上下筐体ＭＳ１、ＭＳ２が閉状態である間、入力装置１６のキーが操作されることはないため、キーイベントが送られることはない。また、入力装置１６は、上下筐体ＭＳ１、ＭＳ２が閉状態である間にも操作可能なサイドキー（図示せず）を有している場合、そのサイドキーの操作に基づくキーイベントが送られても、そのイベントは、動作中である第２のダミー処理部３４に送られるため、何ら、ブラウザ処理部３６の動作に影響を与えない。
【０１０６】
次に、上下筐体ＭＳ１、ＭＳ２が開けられると、上下筐体ＭＳ１、ＭＳ２が開状態に変化したとの通知が総合制御部１１から第２の制御部３２に送られる（Ｔ１７）。この通知が送られた直後に、総合動作状況１１ｂにいずれの処理管理部に属する処理部が優先度が高いと記憶されているか、及び、第１の動作状況２３ａと第２の動作状況３３ａとに処理部が如何なる優先度で記憶されているかを図１１に示す。この状況は、図７に示すフローチャートのステップＳ１１ｉの動作が終了した状況であり、Ｔ１４のブラウザ処理部３６を一時停止状態に置き、Ｔ１５の第２のダミー処理部３４を動作中としたときから続いている状況である。
【０１０７】
この図１１と図１０とを比較すると明らかなように、第２のダミー処理部３４は、表示部１５への表示を行わないのであるから、表示部１５には、ブラウザ処理部３６がＴ１４で一時停止状態に置かれた際の表示がされるところ、Ｔ１６で表示部１５の表示禁止が要求されているので、表示部１５には、何も表示されない。
【０１０８】
第２の制御部３２は、上下筐体ＭＳ１、ＭＳ２が開状態に変化したとの通知に応じて、キーロックが行われる設定がされているか否かの判定をし、その設定がされているので、総合制御部１１を経由して（Ｔ１８）、キーロック解除をさせるためにキーロック解除処理部２９を起動させる（Ｔ１９）。
【０１０９】
次に、キーロック解除処理部２９は、起動が完了し、動作中となった後、総合制御部１１に、表示部１５の表示禁止解除を要求する（Ｔ２０）。この際、総合動作状況１１ｂにいずれの処理管理部に属する処理部が優先度が高いと記憶されているか、及び、第１の動作状況２３ａと第２の動作状況３３ａとに処理部が如何なる優先度で記憶されているかを図１２に示す。この状況は、図７に示すフローチャートのステップＳ１１ｎの動作が終了した状況であり、第１の動作状況２３ａが第２の動作状況３３ａより上に示されていることにより、第１の動作状況２３ａが第２の動作状況３３ａより優先度が高いと総合動作状況１１ｂに記憶されている。
【０１１０】
更に、第１の動作状況２３ａには、キーロック解除処理部２９と、第１のダミー処理部２４と、待ち受け処理部２５とが含まれ、かつ、キーロック解除処理部２９が最も上に示されていることにより、キーロック解除処理部２９は、最大の優先度であって、動作中である。そこで、Ｔ２０の表示部１５の表示禁止解除が要求された際、表示部１５には、キーロック解除処理部２９による表示、即ち、キーロック解除暗証番号の入力を促す画像が表示される。この表示に応じて入力された暗証番号と、キーロック解除処理部２９内に記憶された暗証番号とが等しいことによって使用者認証がなされた後、キーロック解除処理部２９は、動作を終了し（Ｔ２１）、終了状態に置かれる。
【０１１１】
次に、総合制御部１１は、キーロック解除処理部２９が起動された直前に起動された処理部（第２のダミー処理部３４を除く。）であるブラウザ処理部３６の動作を再開させる制御を行い（Ｔ２２）、この制御に応じて第２の制御部３２は、第２のダミー処理部３４を一時停止状態に置き（Ｔ２３）、ブラウザ処理部３６を動作中にさせる（Ｔ２４、図８に示すフローチャートのステップＳ１１ｒ及びステップＳ１１ｗ以降の動作を参照。）。
【０１１２】
この結果、総合動作状況１１ｂにいずれの処理管理部に属する処理部が優先度が高いと記憶されているか、及び、第１の動作状況２３ａと第２の動作状況３３ａとに処理部が如何なる優先度で記憶されているかは、図１０に示す、上下筐体ＭＳ１、ＭＳ２が閉じられる前の状況に復旧する。
【０１１３】
以上のシーケンスは、ブラウザ処理部３６が動作中である際に上下筐体ＭＳ１、ＭＳ２が閉じられ、そして、開けられた例を用いて説明した。当然に、それ以外の処理部が動作中であっても同じシーケンスによって、上下筐体ＭＳ１、ＭＳ２が開けられた際に、表示部１５に適切な表示が行われる。ここで、各処理部の動作には、何ら制約が加えられていないため、本発明の実施にあたり、各処理部の改造は不要である。
【０１１４】
以上の説明で、上下筐体ＭＳ１、ＭＳ２が閉状態に変化した際、動作中の処理部は一時停止状態に置かれるとしたが、これに限るものではない。例えば、引き続き動作中であり、上下筐体ＭＳ１、ＭＳ２の外側に設置された第２の表示部（図示せず）に、表示部１５への表示とは異なる表示をし、及び／又は、上下筐体ＭＳ１、ＭＳ２の外側に設置された第２のスピーカ（図示せず）から音声を発生させるとしても良い。
【０１１５】
この場合、この処理部は、上下筐体ＭＳ１、ＭＳ２が閉状態にある場合、表示部１５に表示される画像を記憶しない。この場合であっても、第１の制御部２２と、第２の制御部３２とは、上述したように、表示部１５の表示禁止を要求し、キーロック解除処理部２９は、表示部１５の表示禁止解除を要求する。そのため、上下筐体ＭＳ１、ＭＳ２が開状態に変わった際、この処理部による表示部１５の表示がされないので（上述したように、表示されるべき画像が記憶されていないので、表示させたとしても如何なる表示がされるか不定である。）、装置の使用者は、その表示に違和感を覚えることがない。
【０１１６】
以上の説明で、使用者が新たに動作させる処理部を明示的に指示することなく、所定の契機によって動作させる処理部の切り替えが行われる場合とは、上下筐体ＭＳ１、ＭＳ２が開状態に変化した場合であるとしたが、これに限るものではない。例えば、入力装置１６のキーが所定の時間に渡って操作されない際、総合制御部１１は、表示部１５に表示させないことと併せてキーロックを施し、キーロックが施された後、入力装置１６のキーが操作された際、キーロック解除処理部２９が起動される場合である。
【０１１７】
この場合、上下筐体ＭＳ１、ＭＳ２が開閉自在であるか否かに係わらない。この場合、キーロックが施された際、又は、キーロックが施された後、入力装置１６のキーが最初に操作された後で、キーロック解除処理部２９が起動される前に表示部１５の表示禁止が要求される。
【０１１８】
また、所定の契機によって動作させる処理部の切り替えが行われる場合とは、第１の処理部が新たに動作中となることによって、直前に動作中であった第２の処理部が一時停止状態に置かれている際に、第１の処理部が終了することによって第２の処理部が動作を再開する場合であって、第２の処理部は、一時停止状態に置かれた際の表示を直ちに表示することができない場合、また、一時停止状態に置かれた際の表示以外の表示を行なう場合である。この場合、第１の処理部が終了する際に表示部１５の表示禁止が要求される。また、キーロックの設定が行われない場合、第２の処理部が動作を再開した後、表示部１５の表示禁止解除が要求される。
【０１１９】
より具体的には、このような場合とは、第１に、第２の処理部は、一時停止状態に置かれた際、表示内容が記憶されたリソースを解放する場合である。この場合、第２の処理部は、動作を再開する際に、新たにリソースを確保して表示内容を記憶させる必要があり、直ちに表示することができない。第２に、第２の処理部は、表示部１５に例えば動画を表示し、動作が再開された際には、一時停止状態に置かれた際とは異なる画像を表示すべき場合である。この場合、第２の処理部は、上下筐体ＭＳ１、ＭＳ２が閉状態にある際、表示部１５に表示される動画画像の作成、例えば、符号化された動画画像の復号などは、消費電力削減の観点から行わないので、上記の異なる画像を直ちに表示することができない。
【０１２０】
以上の説明では、処理管理部は、第１の処理管理部２１と、第２の処理管理部３１との２つであるとしたが、３つ以上であっても良く、何ら制御動作に変わることはない。また、それぞれの処理管理部に属する処理部の数はいくつであっても良く、何ら制御動作に変わることはない。
【０１２１】
以上の説明では、総合制御部１１と、第１の制御部２２と、第２の制御部３２とによって制御動作を行うとしたが、これに限るものではない。総合制御部１１が、第１の制御部２２または第２の制御部３２の動作を併せて行っても良い。
【０１２２】
以上の説明では、全ての処理部は処理管理部に属するとしたが、これに限るものではない。処理管理部に属さず、総合制御部１１の制御を直接受ける処理部があっても良い。この場合、総合制御部１１は、直接制御する処理部に対して処理管理部の制御部の制御動作を併せて行うが、これに限るものではない。
【０１２３】
例えば、総合制御部１１は、総合制御部１１の制御を直接受ける処理部であって、動作中の処理部の終了に際し、その処理部を制御して、表示部１５の表示を維持させる制御をしても良い。また、総合制御部１１の制御を直接受ける処理部であって、終了する処理部と起動が完了していない処理部とのいずれにも入力装置１６のキー操作によって入力された情報を与えない制御をしても良い。これらの制御により、総合制御部１１の制御を直接受けるダミー処理部を設けない構成としても良い。
【０１２４】
また、総合制御部１１は、総合制御部１１の制御を直接受ける処理部の終了または起動による状況の変化の際、表示部１５を直接制御して、上記終了または起動前の画像を表示させることによって、表示部１５の表示の違和感を与えないとしても良い。また、入力装置１６を直接制御して、上記終了または起動が完了するまでに操作されたキーを無視することによって、いずれの処理部もその操作されたキーに依存して動作しないとしても良い。このように、表示部１５及び入力装置１６を直接制御することによって、総合制御部１１の制御を直接受けるダミー処理部を設けない構成としても良い。
【０１２５】
以上の説明は、本発明を移動通信装置に適用した形態を例にとって行ったが、これに限るものではない。本発明は、あらゆる情報処理装置に適用することが当然に可能である。本発明は以上の構成に限定されるものではなく、種々の変形が可能である。
【符号の説明】
【０１２６】
ＭＳ１  上筐体
ＭＳ２  下筐体
１１  総合制御部
１１ａ  総合動作状況記憶部
１１ｂ  総合動作状況
１５  表示部
１６  入力装置
１７  開閉検出部
２１  第１の処理管理部
２２  第１の制御部
２３  第１の動作状況記憶部
２３ａ  第１の動作状況
２４  第１のダミー処理部
２５  待ち受け処理部
２６  通話処理部
２７  アドレス帳処理部
２９  キーロック解除処理部
３１  第２の処理管理部
３２  第２の制御部
３３  第２の動作状況記憶部
３３ａ  第２の動作状況
３４  第２のダミー処理部
３５  電子メール処理部
３６  ブラウザ処理部
【図１】
2010191668.tif 000003
【図２】
2010191668.tif 000004
【図３】
2010191668.tif 000005
【図４】
2010191668.tif 000006
【図５】
2010191668.tif 000007
【図６】
2010191668.tif 000008
【図７】
2010191668.tif 000009
【図８】
2010191668.tif 000010
【図９】
2010191668.tif 000011
【図１０】
2010191668.tif 000012
【図１１】
2010191668.tif 000013
【図１２】
2010191668.tif 000014